(57)【特許請求の範囲】
【請求項１】
ルアー本体の長手方向端部に、釣り糸を連結するための第１の貫通孔と、釣り針を連結するための第２の貫通孔とを形成したルアーにおいて、
幅広で平らな平板部の一方端に前記第１の貫通孔を設け、
他端側に前記第２の貫通孔を設けると共に前記平板部より幅狭な立ち上がり部を設けたことを特徴とするルアー。
【請求項２】
前記ルアー本体を銅板で形成した請求項１に記載のルアー。
【請求項３】
金属製の平板部材の幅広で平らな一方端に釣り糸を連結するための第１の貫通孔及び他端側に釣り針を連結するための第２の貫通孔を形成する第１の工程と、
前記平板部材に平板部及びこの平板部より幅狭な立ち上がり部を形成する第２の工程とを有し、
前記第２の工程は、
前記平板部材の第２の貫通孔側に、第１の貫通孔と第２の貫通孔とを結ぶ直線に対して略対称で前記平板部に対して所定量、所定形状に立設した立ち上がり部を形成する絞り工程と、
この絞り工程によって形成された前記立ち上がり部の底面を、前記第１の貫通孔側が形成されている平板部の面部に対して所定角度に折曲する曲げ工程と、
を有することを特徴とするルアー形成方法。
【発明の詳細な説明】
【０００１】
【発明の属する技術分野】
本発明は、魚釣りの際に使用するルアー（疑似餌）、特に形状がスプーン形状に類似したルアー本体に幅広部を有するルアーに関する。
【０００２】
【従来の技術】
従来より、魚釣りの際、生き餌の外に疑似餌（以下、ルアーと記載する）が使用されている。このルアーには食器であるスプーンに酷似した、カップと呼ばれる凹部を有するスプーン形状ルアー（以下、スプーンと記載する）や、小魚等に見間違うように形成された略棒状のミノー形状ルアー（以下、ミノーと記載する）等、様々な形状のものがある。これらルアーには、着水して沈下するとき、或いは釣り糸を巻きとってルアーを手元に引き戻す動作（この動作をリトリーブと記載する）のときに、餌となる小魚特有の泳ぎや縄張意識を刺激するような泳ぎをする工夫が施されている。
【０００３】
例えば、前記ミノーでは釣り糸側にリップと呼ばれる突起部を設け、このリップの水との抵抗によって、釣り糸が結ばれる取付け部を中心にして魚が横腹を見せるような横揺れの動き（以下、ローリングアクションとも記載する）や、魚が尾ひれを左右に振るような動き（以下、ウォブリングアクション）をする。そして、前記リップの長さや角度を変えることによってその動きを大きく変化させられる。また、このミノーでは、自重を変化させることにより、水面に浮くタイプや、沈降速度を遅くして所定の水位を維持するタイプ、沈降するときに揺動するタイプ等を構成することが可能である。
【０００４】
一方、前記スプーンでは水との抵抗によってウォブリングアクションや、上下に尾を振るような動きをする。そして、このスプーンの幅寸法や凹部形状を変えることによってその動きに変化が生じる。また、このスプーンでは幅寸法を変えることにより沈降速度が変化し、幅広にするにしたがって沈降速度は遅くなる。
【０００５】
【発明が解決しようとする課題】
しかしながら、前記スプーンでは、スプーンの幅寸法や凹部形状を変えても、前記ミノーに設けられているリップの長さや角度を変化させたときのように、その動きを大きく変化させることが難しい。特に、魚が尾ひれを激しく左右に振るようなウォブリングアクションを得ようとしてスプーンの幅寸法を幅広に形成すると、幅広に形成したことによって空気抵抗が増大し、このスプーンを遠くまで飛ばすこと及び正確にポイントに着水させることが難しくなる。そして、この不具合を解消するためにスプーンの自重を重めに形成すると、釣り糸にかかる負荷が増すという不具合が発生するとともに、幅広に形成したにも関わらず沈降速度や動きに所望の変化を得難くなるという不具合が発生する。
【０００６】
本発明は上記事情に鑑みてなされたものであり、沈降又はリトリーブの際に魚を刺激する動きを行い、かつ遠くのポイントに正確に着水させられるルアー本体に幅広部を有するルアーを提供することを目的にしている。
【０００７】
【課題を解決するための手段】
本発明のルアーは、ルアー本体の長手方向端部に、釣り糸を連結するための第１の貫通孔と、釣り針を連結するための第２の貫通孔とを形成したルアーであって、
幅広で平らな平板部の一方端に前記第１の貫通孔を設け、他端側に前記第２の貫通孔を設けると共に前記平板部より幅狭な立ち上がり部を設けている。
【０００８】
そして、前記ルアー本体を銅板で形成している。
【０００９】
一方、金属製の平板部材の幅広で平らな一方端に釣り糸を連結するための第１の貫通孔及び他端側に釣り針を連結するための第２の貫通孔を形成する第１の工程と、前記平板部材に平板部及びこの平板部より幅狭な立ち上がり部を形成する第２の工程とを有し、前記第２の工程は、前記平板部材の第２の貫通孔側に、第１の貫通孔と第２の貫通孔とを結ぶ直線に対して略対称で前記平板部に対して所定量、所定形状に立設した立ち上がり部を形成する絞り工程と、この絞り工程によって形成された前記立ち上がり部の底面を、前記第１の貫通孔側が形成されている平板部の面部に対して所定角度に折曲する曲げ工程とを有している。
【００１０】
これらの構成によれば、まず、ポイントに向けてルアーが投げ込んだとき、ルアーは幅狭な立ち上がり部を進行方向である前方に向けて平板部を後方にした安定した飛行姿勢で飛んでいく。次に、ルアーが水面に着水すると、幅狭な立ち上がり部を下方にして沈降を開始する。この際、平板部が水の抵抗になるとともに、この沈降開始とともに水の抵抗が立ち上がり部に働いてルアーが揺動して魚を刺激する動きをする。次いで、リトリーブの際には、平板部と立ち上がり部とが水の抵抗を受けて魚を刺激する動きをする。
【００１１】
そして、ルアー本体の表面及び裏面を塗装する際、下処理を行うことなく、直接、魚が興味をひく塗装を行える。
【００１２】
一方、ルアーの製作を第１工程と第２工程とに分け、第２工程を絞り工程と曲げ工程とに分けているので、ルアーの製作を手作りのみならずプレス加工を利用して安価に行える。そして、第１工程で使用する平板部材の幅寸法、端部形状、厚み、立ち上がり状態を変化させたり、第２工程における折曲角度を適宜調整することによってルアーの動きを変化させられる。
【００１３】
【発明の実施の形態】
以下、図面を参照して本発明の実施の形態を説明する。
図１ないし図６は本発明の一実施形態に係り、図１はルアーを説明する斜視図、図２はルアーの平面図及び断面図、図３はルアーを形成する工程を説明する図、図４はルアーが投げられている状態を説明する図、図５は沈降しているルアーを説明する図、図６はリトリーブの際のルアーを説明する図である。
なお、図２（ａ）はルアーの平面図、図２（ｂ）は図２（ａ）のＡ−Ａ線断面図、図２（ｃ）は図２（ａ）のＢ−Ｂ線断面図、図６（ａ）は水中に位置するルアーをリトリーブしている状態を説明する図、図６（ｂ）はルアーにかかる水の抵抗等を説明する側面図、図６（ｃ）は図６（ｂ）のルアーを上側から見たときの水の流れを説明する図である。
【００１４】
図１に示すように本実施形態のルアー１を構成するルアー本体２には釣り糸１０と釣り針１１とが取り付けられている。
前記ルアー本体２は例えば両端部を例えば曲面で形成した平板銅板に所定の加工を施して形成したものであり、幅広で板状の平板部３と、この平板部３に対して所定角度に傾斜して釣り針側端部周囲を囲む曲面形状の内側壁形状４ａ及び外側壁形状４ｂが立設して所定角度で傾斜した立ち上がり部４を有する動作発生部５とで構成されている。
【００１５】
前記平板部３の所定位置には前記釣り糸１０が連結される釣り糸連結部となる例えば円形の第１の貫通孔（以下、アイとも記載する）６ａが形成されている。一方、前記立ち上がり部４の所定位置には前記釣り針１１が連結される釣り針連結部となる例えば円形の第２の貫通孔６ｂが形成されている。
【００１６】
なお、本図においては釣り糸１０及び釣り針１１をリング部材１２を介して第１の貫通孔６ａ、第２の貫通孔６ｂにそれぞれ取り付ける構成を示しているが、前記釣り糸１０を直接、第１の貫通孔６ａに取り付けるようにしてもよい。また、前記貫通孔６ａ、６ｂを円形ではなく長孔として形成するようにしてもよい。
【００１７】
図３を参照してルアー形成工程を説明する。
前記ルアー１は以下に示す第１の工程と、第２の工程とを経て形成される。そして、この第２の工程は後述する絞り工程及び曲げ工程を有している。なお、このルアーを手作業で形成するものとして説明を行う。
【００１８】
まず、第１工程を説明する。
図３（ａ）に示すように所定幅寸法、例えば曲面部２０ｂを有する所定端部形状、所定厚みの銅製の平板部材２０を用意し、この平板部材２０の略中心線上の所定位置に第１の貫通孔６ａ及び第２の貫通孔６ｂを加工する。
【００１９】
次に、第２の工程の絞り工程を説明する。
図３（ｂ）に示すように前記平板部材２０の第２の貫通孔６ｂ側の所定範囲を絞って前記中心線２０ａに対して略対称な立ち上がり部４を形成する。このとき、図３（ｃ）、（ｄ）に示すように立ち上がり部４の内側壁形状４ａ及び外側壁形状４ｂが、所望する傾斜面や凸曲面、凹曲面等を有する所定形状になるように調整を行いながら加工する。そして、前記平板部材２０の第２の貫通孔６ｂ側に所定の内側壁形状４ａ及び外側壁形状４ｂを備えた立ち上がり部４が形成されることによって、前記第１の貫通孔６ａ側が平板部３として構成される。
【００２０】
次いで、第２の工程の曲げ工程を説明する。
図３（ｅ）に示すように前記平板部３の一面に対して前記立ち上がり部４の底面が所定角度θになるように折り曲げ加工を行う。そして、折り曲げ加工が完了することによって、前記立ち上がり部４に斜面部４ｃが形成されて動作発生部５として構成される。つまり、前記平板部材２０が所定形状のルアー本体２として形成される。
最後に、ルアー本体２の表面に対して直接、魚が興味をひく塗装を施してルアー２が完成する。
【００２１】
ここで、上述のように構成したルアー１の作用を説明する。
まず、釣り竿（以下、ロッドと記載する）に装着されたルアー１を目的のポイントに向けて投げる。このとき、前記ルアー１は、図４の拡大図に示すように立ち上がり部４を設けた動作発生部５を飛行方向前方に向けて飛行して、ポイントに着水する。
【００２２】
そして、このルアー１が水面に着水すると、図５に示すようにこのルアー１は自重によって矢印Ａ方向に沈降を開始する。このとき、前記平板部３及び動作発生部５に矢印ｂに示すように水の抵抗が働いて、ルアー１はゆらゆらと不規則に揺動しながら所定の速度で沈降していく。
【００２３】
次に、前記釣り糸１０が巻回されているリール１４（図４参照）のハンドル１５（図４参照）を廻してリトリーブを開始する。すると、釣り糸１０が巻きとられていくことにより、図６（ａ）に示すように所定深さまで沈降していたルアー１が釣り糸１０によって矢印Ｃ方向に引っ張られ、図６（ｂ）に示すような状態で水中を移動して矢印ｄに示すような水の抵抗を受ける。
【００２４】
このとき、ルアー本体２が、平板部３と、内側壁形状４ａ及び外側壁形状４ｂを有する立ち上がり部４に斜面部４ｃを設けて構成した動作発生部５とを備えることによって、図６（ａ）ないし図６（ｃ）に示すようにルアー本体２周囲の水流が変化して、ローリングアクションを行うととともに、魚が尾ひれを振る矢印Ｅ、Ｆに示すようなウォブリングアクションを今までにないきびきびとした動作を行って魚を刺激する。
【００２５】
なお、前記平板部材２０の幅寸法、端部の形状（曲面部２０ｂの形状の違いや曲面ではなく、複数の直線で構成する等）、厚み寸法を変化させたり、折り曲げ加工の際の角度θを変化させることによって、ルアー１の動作発生部５の形状が変化して異なる動きをする。
【００２６】
また、前記釣り糸１０を巻き取る動作に加えて、この糸の巻取り方及びロッドの操作に変化を与えることによって、前記ルアー１は操作者の意図に従った魚を刺激する動きをさせられる。
【００２７】
このように、ルアー本体に、幅広な平板部と幅狭で所定形状の立ち上がり部を有する動作発生部とを設けたことによって、沈降及びリトリーブの際、水の抵抗によってルアー本体に魚を刺激する所望の動きを発生させることができる。
【００２８】
また、平板部に形成した第１の貫通孔に釣り糸を連結していることにより、ポイントに向けてルアーを遠投したとき、動作発生部を設けた幅狭な部分が飛行線の前方に位置して平板部が後方に位置して安定した飛行姿勢を得ることができる。このことによって、ルアーを遠くのポイントに向けて遠投すること及び、風の影響であおられることなく正確にポイントに着水させられる。
【００２９】
さらに、ルアー本体を銅板で形成したことによって塗装を行うための下地処理を行うことなく塗装を行うことができる。このことによって、形状加工後、すぐに塗装工程に入れる。また、塗装前のルアーを購入することによって、ユーザーはオリジナルな塗装を施せる。さらに、銅板で形成したことにより、ユーザーによる後処理を比較的容易に行えるので、ルアーが所望の動作を行うようなチューニングが可能である。
【００３０】
なお、ルアー本体の平板部と動作発生部とを別々に構成して、別々の平板部と動作発生部とを接合してルアー本体を構成するようにしたり、上述したルアー本体を銅板以外の材質の金属部材等で平板部と動作発生部とを設けて形成するようにしても、上述したルアーの実施形態と同様の作用及び効果を得られる。
【００３１】
尚、本発明は、以上述べた実施形態のみに限定されるものではなく、発明の要旨を逸脱しない範囲で種々変形実施可能である。
【００３２】
【発明の効果】
以上説明したように本発明によれば、沈降又はリトリーブの際に魚を刺激する動きを行い、かつ遠くのポイントに正確に着水させられるルアー本体に幅広部を有するルアーを提供することができる。
【図面の簡単な説明】
【図１】ルアーを説明する斜視図
【図２】ルアーの平面図及び断面図
【図３】ルアーを形成する工程を説明する図
【図４】ルアーが投げられている状態を説明する図
【図５】沈降しているルアーを説明する図
【図６】リトリーブの際のルアーを説明する図
【符号の説明】
１…ルアー
２…ルアー本体
３…平板部
４…立ち上がり部
５…動作発生部
１０…釣り糸
１１…釣り針
【図１】
0003616619.tif 000002
【図２】
0003616619.tif 000003
【図３】
0003616619.tif 000004
【図４】
0003616619.tif 000005
【図５】
0003616619.tif 000006
【図６】
0003616619.tif 000007